(57)【要約】【課題】ポンプ式吐出容器について、外気を多量に吸い込むことができる吸気口を、水が侵入するのを確実に防止できるように設ける。【解決手段】ノズル体４の頂部に、蓋体４０によって閉鎖される空間部４４を形成し、この空間部４４の一部分を、外筒部４２の外周面から外方に突出した凹部４４ａに形成して、この凹部４４ａの外側壁に、外気を吸い込むための吸気口４５を開口させ、凹部４４ａよりも内側の空間部４４を、内筒部４１と外筒部４２の間の通気路Ｈに連通孔４６で連通させると共に、ノズル体４の頂部の外縁部から下方に垂下するスカート状のカバー部４７を、凹部４４ａから外方に離れて吸気口４５よりも下方にまで延びるように形成する。【選択図】図５
2010042827.tif 000002
【特許請求の範囲】
【請求項１】
容器の口部から容器内に垂設されたシリンダ体の内側に、常に上方に付勢された状態で所定範囲だけ上下動可能にピストン体が配設され、ピストン体を上方から覆うように容器の口部に冠着されるキャップには、その天板中央部に開設された開口部の周縁から上方に筒状のガイドステム部が立設され、容器の外側に配置されて吐出口を有するノズル体には、ピストン体と連結して吐出通路を形成する内筒部と、ガイドステム部の外周面に沿って上下動する外筒部とが一体的に形成されて、この内筒部と外筒部の間が、容器内に外気を導入するための通気路となっているポンプ式吐出容器において、
ノズル体の頂部に、蓋体によって閉鎖される空間部が形成され、この空間部の一部分が、外筒部の外周面から外方に突出した凹部に形成されて、この凹部の外側壁に、外気を吸い込むための吸気口が開口され、凹部よりも内側の空間部が、内筒部と外筒部の間の通気路に連通されていると共に、ノズル体の頂部の外縁部から下方に垂下するスカート状のカバー部が、凹部から外方に離れて吸気口よりも下方にまで延びるように形成されていることを特徴とするポンプ式吐出容器。
【請求項２】
凹部の外側壁に開口される吸気口が、凹部の底角部から外側壁を切り欠くように形成されていることを特徴とする請求項１に記載のポンプ式吐出容器。
【請求項３】
ノズル体の頂部の空間部と、内筒部と外筒部の間の通気路とを連通する連通孔に対して、凹部の外側壁に開口される吸気口が、ノズル体の筒部の円周方向でずれた位置に配置されていることを特徴とする請求項１又は２に記載のポンプ式吐出容器。
【発明の詳細な説明】
【技術分野】
【０００１】
本発明は、容器のキャップから上方に突設されたノズル体を押し下げヘッドとして上下動させることで、容器内に収納された内容液を、そのまま或いは泡状態として、ノズル体の吐出口から吐出するようなポンプ式吐出容器に関し、特に、外気を吸い込むための吸気孔が設けられたポンプ式吐出容器に関する。
【背景技術】
【０００２】
シャンプー，ハンドソープ，洗顔剤，整髪剤，ひげ剃り剤等の液体を内容物とし、ノズル体とシリンダ体とピストン体を主な構成部材とするポンプ機構を容器に一体的に設置したポンプ式吐出容器については、従来から様々なものが提案され既に商品化されていて、そのようなポンプ式吐出容器では、容器のキャップから上方に突出したノズル体の操作により、キャップの天板部を貫通してノズル体と連結されたピストン体が、容器の口部から容器内に垂設されたシリンダ体の内部で、バネ力により常に上方に付勢された状態で所定範囲だけ上下動することにより、容器内に収納されている液体がシリンダ体の下端から吸い上げられ、ピストン体とノズル体の中空軸心部を通って、そのままの状態で、或いは、空気が混入された泡状態で、ノズル体の吐出口から容器の外部に吐出されるようになっている。
【０００３】
そのようなポンプ式吐出容器では、ポンプ機構による吐出によって負圧となる容器内に新たに空気を供給することが必要となるため、従来から一般的には、キャップのガイドステム部とノズル体とが摺接する部分の隙間から外気を吸い込むようにしているが、そのようなものでは、ガイドステム部の外周面に付着した水が空気と共に吸い込まれ易いため、容器内に容易に水が侵入する虞がある。しかも、狭い隙間だけでは充分な空気を迅速に吸い込むことができないため、迅速に多量の内容物を吐出させようとする場合には不都合がある。
【０００４】
これに対して、キャップ（ベースキャップ部１４）のガイドステム部（ガイドステム２３）とノズル体（泡吐出器１３）とが摺接する部分の隙間とは別個に、外気を吸い込むための吸気口（外気取り入れ口３２）を、ノズル体（泡吐出器１３）の外筒部（スカート状カバー２５）に開口形成すると共に、この吸気口（外気取り入れ口３２）に対して、その「外側の上方及び周方向近傍に延在する防御壁３３」を設けるということが下記の特許文献により従来公知となっている。
【特許文献１】特開２００７−２７５７７７号公報
【発明の開示】
【発明が解決しようとする課題】
【０００５】
ところで、上記のような従来公知のポンプ式吐出容器では、ノズル体（泡吐出器１３）の外筒部（スカート状カバー２５）に吸気口（外気取り入れ口３２）を開口形成していることで、ガイドステム部（ガイドステム２３）とノズル体（泡吐出器１３）とが摺接する部分の隙間から空気と共に水が吸い込まれることはなく、また、吸気口（外気取り入れ口３２）の「外側の上方及び周方向近傍に延在する防御壁３３」を設けていることで、飛び散った水が上方や側方から吸気口（外気取り入れ口３２）に侵入するのを防止することができる。
【０００６】
しかしながら、吸気口（外気取り入れ口３２）は、ノズル体（泡吐出器１３）の外筒部（スカート状カバー２５）に形成されていることから、例えば、容器が横倒しの状態になったり、容器を斜め下に傾けて持ったりすると、外筒部（スカート状カバー２５）の外周面に付着した水が、該外周面に沿って流れることで、「防御壁３３」に邪魔されるようなことなく吸気口（外気取り入れ口３２）の付近に到達して、吸気口（外気取り入れ口３２）から容器内に侵入するような虞がある。
【０００７】
なお、容器内に外部の水が侵入すると、通常シリンダ部分に塗布してあるシリコン等の滑剤を洗い流してピストン体の摺動性を悪化させたり、容器内に収納されている内容液に混入してその色や香りを変化させてしまうというような問題を起こすことがあり、特に、内容液に空気を混合して泡状態で吐出する泡出し容器の場合には、シリンダ体とピストン体により画成される空気室内に多くの水が溜まると、混合室内に送り込まれる内容液と空気の比が使用開始時とは異なってしまうため、泡質が設計したものとは異なってしまうという問題が起きたり、或いは、容器内に侵入してくる水は汚れていることが多いので、空気用シリンダの内部に溜まってカビ等を発生させ易く、その場合には、ポンピングによりカビ臭が混合室内に送り込まれることで、吐出される泡の香気を悪化させてしまうという問題も起きる可能性がある。
【０００８】
本発明は、上記のような問題の解消を課題とするものであり、具体的には、ポンプ式吐出容器について、外気を多量に吸い込むことができる吸気口を、水が侵入するのを確実に防止できるように設けるということを課題とするものである。
【課題を解決するための手段】
【０００９】
本発明は、上記のような課題を解決するために、容器の口部から容器内に垂設されたシリンダ体の内側に、常に上方に付勢された状態で所定範囲だけ上下動可能にピストン体が配設され、ピストン体を上方から覆うように容器の口部に冠着されるキャップには、その天板中央部に開設された開口部の周縁から上方に筒状のガイドステム部が立設され、容器の外側に配置されて吐出口を有するノズル体には、ピストン体と連結して吐出通路を形成する内筒部と、ガイドステム部の外周面に沿って上下動する外筒部とが一体的に形成されて、この内筒部と外筒部の間が、容器内に外気を導入するための通気路となっているポンプ式吐出容器において、ノズル体の頂部に、蓋体によって閉鎖される空間部が形成され、この空間部の一部分が、外筒部の外周面から外方に突出した凹部に形成されて、この凹部の外側壁に、外気を吸い込むための吸気口が開口され、凹部よりも内側の空間部が、内筒部と外筒部の間の通気路に連通されていると共に、ノズル体の頂部の外縁部から下方に垂下するスカート状のカバー部が、凹部から外方に離れて吸気口よりも下方にまで延びるように形成されていることを特徴とするものである。
【発明の効果】
【００１０】
上記のような本発明のポンプ式吐出容器によれば、ノズル体の外筒部とキャップのガイドステム部との隙間からではなく、ノズル体に開口させた吸気口から多量の外気を容器内に迅速に導入することができて、迅速に多量の内容物を吐出させることができ、また、容器を正立させた状態では、スカート状のカバー部によって吸気口から水が侵入するのを防止できると共に、ノズル体の外筒部の外周面から外方に突出した凹部の外側壁に吸気口が開口されているため、例えば、容器が横倒しの状態になったり、容器を斜め下に傾けて持ったりすることで、外筒部の外周面に付着した水が吸気口に向かって流れてきても、凹部の底壁が堤防の役目をして、吸気口に水が侵入するのを阻止することから、吸気口から容器内に水が侵入するのを効果的に防止することができる。
【発明を実施するための最良の形態】
【００１１】
ポンプ式吐出容器について、外気を多量に吸い込むことができる吸気口を、水が侵入するのを確実に防止できるように設けるという目的を、最良の形態として以下の実施例に具体的に示すように、ノズル体の頂部に、蓋体によって閉鎖される空間部を形成し、この空間部の一部分を、外筒部の外周面から外方に突出した凹部に形成して、この凹部の外側壁に、外気を吸い込むための吸気口を開口させ、凹部よりも内側の空間部を、内筒部と外筒部の間の通気路に連通させると共に、ノズル体の頂部の外縁部から下方に垂下するスカート状のカバー部を、凹部から外方に離れて吸気口よりも下方にまで延びるように形成する、ということで実現した。
【実施例】
【００１２】
本実施例のポンプ式吐出容器は、その容器本体内にシャンプー，ハンドソープ，洗顔料，整髪料，ひげ剃り剤等、界面活性剤を含有する液体を収容するものであり、図１に示すように、ノズル体４とシリンダ体５とピストン体６とからなるポンプ構造を有するものであって、ノズル体４は、容器本体２の外側でキャップ３の上方に位置し、シリンダ体５は、容器本体２の口部から内部に向けて垂設され、空気用ピストン７と液用ピストン８からなるピストン体６は、キャップ３の下面側に固定されるシリンダ体５の内部に上下動可能に配設されている。
【００１３】
容器の口部に冠着されるキャップ３には、その天板部３２の中央部に開口部が開設されていると共に、この開口部の周縁から上方に筒状のガイドステム部３１が立設されており、一方、容器の外側に配置されるノズル体４には、ピストン体６の上端部と連結して内側に吐出通路を形成する内筒部４１と、キャップ３のガイドステム部３１の外周面に沿って上下動する外筒部４２とが一体的に形成されていて、ノズル体４は、キャップ３のガイドステム部３１に案内された状態で、一体的に連結されたピストン体６と共に上下動するようになっている。
【００１４】
キャップ３の下面側に固定されたシリンダ体５に対して一体的に上下動するノズル体４とピストン体６は、シリンダ体５とピストン体６の間に介装されたコイルスプリング１１のバネ力によって常に上方に付勢されており、図１に示すようなノズル体４の上限位置から、ノズル体４とピストン体６をコイルスプリング１１の付勢力に抗して押し下げることで、図２に示すようなノズル体４の下限位置まで押し下げることができる。
【００１５】
上記のようなポンプ式吐出容器１のポンプ構造について更に詳しく説明すると、容器本体２の口部に着脱可能に冠着されるキャップ３は、中央に開口部が開設された天板部３２と、天板部３２の開口部周縁から上方に立ち上がる円筒状のガイドステム部３１と、天板部３２の周端縁から垂下される円筒状のスカート部３３とを一体成形したものであって、スカート部３３の内面側には、容器本体２の口部と螺合するためのネジ部が形成され、天板部３２の下面には、円筒状のシリンダ挟持部と円筒状のピストン接触部とが同心状に垂下されている。
【００１６】
シリンダ体５は、大径筒状の空気用シリンダ５１と小径筒状の液用シリンダ５２とが円錐台状の連結部分を介して同心的に連結されるように、熱可塑性樹脂の射出成形等により一つの部材として一体成形した二重シリンダであって、空気用シリンダ５１の上端に形成されたフランジ部が、キャップ３の天板部３２の下面側で挟持されることにより、シリンダ体５の上端部がキャップ３に同心円状に一体的に固定され、このキャップ３が容器本体２の口部に冠着（螺着）されることで、シリンダ体５は容器本体２の口部から下方（容器内）に垂設されることとなる。
【００１７】
そのようなシリンダ体５には、空気用シリンダ５１の上部に、容器本体２のヘッドスペース（容器内の液面よりも上方の空間部）に空気を導入するための空気孔Ｅが穿設されており、液用シリンダ５２の下端には、漏斗状の弁座部が形成されていて、この弁座部の下方には、容器本体２内に収容されている液体を液用シリンダ５２内に導入するための導液管１５が圧入により連結され、この導液管１５の下端は容器本体２の底部付近にまで延びている。
【００１８】
シリンダ体５内に上下動可能に配設されるピストン体６は、熱可塑性樹脂の射出成形等により個別の部品としてそれぞれ一体成形された空気用ピストン７と液用ピストン８を、その後に一つのピストン体６として同心的に一体連結したものであって、空気用ピストン７は、空気用シリンダ５１のシリンダ壁内面に沿って摺動し、液用ピストン８は、液用シリンダ５２のシリンダ壁内面に沿って摺動し、ピストン体６の上端（空気用ピストン７のステム部７１の上部）は、ノズル体４の内筒部４１の下端と連結されている。
【００１９】
ピストン体６の空気用ピストン７は、その上部に位置する小径筒状のステム部７１と、その下部に位置する大径筒状のピストン部７３を、中間連結部７２を介して連結するように一体成形したものであって、ピストン部７３の下端には、空気用シリンダ５１のシリンダ壁内面との間で充分に気密性を確保でき、且つ、該シリンダ壁内面に対して上下方向に軽く摺動できるように、所定の幅の摺動シール部分が一体的に形成されている。
【００２０】
空気用ピストン７のピストン部７３の摺動シール部分は、所定の幅に形成されてその幅方向の上下両端で空気用シリンダ５１のシリンダ壁内面に密接しており、空気用シリンダ５１の上部に開設された空気孔Ｅに対して、空気用ピストン７が上限位置にある状態では、図１に示すように、ピストン部７３の摺動シール部分が空気孔Ｅを閉鎖していて、空気用ピストン７が上限位置から押し下げられてピストン部７３の摺動シール部分が下方に移動することで、図２に示すように、空気孔Ｅは開口される。
【００２１】
空気用ピストン７のステム部７１は、その上部がノズル体４との連結部（ノズル体４の内筒部４１の下部を外嵌させる部分）となり、その下部が液用ピストン８との連結部（液用ピストン８の上部を内挿させる部分）となるものであって、ステム部７１の上部は、ノズル体４の内筒部４１を嵌合する際の下限位置を規制すると共に、液用ピストン８の上端部を挿入する際の上限位置を規制するように、段差を持って下部よりも小径の円筒部分に縮径されている。
【００２２】
ピストン体６の液用ピストン８は、全体が略円筒形状をしており、その上端部の内面側には、内径が上方に行く程大径となる擂鉢状（又は漏斗状）の弁座部が形成され、中途部の外周面には、放射状の突起部を外端縁に有する環状突部８１が形成され、下端部の内面側には、液用シリンダ５２の下端付近（液用シリンダ５２内に装着された筒状係止体１２の下端部）との間に介装されるコイルスプリング１１の上端が当接されている。このコイルスプリング１１のバネ力によりシリンダ体５内でピストン体６が常に上方に付勢され、また、図２に示すように、環状突部８１によりシリンダ体５内でのピストン体６の下限位置が規制されている。
【００２３】
上記のような構造のシリンダ体５とピストン体６とにより、空気用ピストン７で覆われた空気用シリンダ５１の内側で液用ピストン８の外側に空気室Ａが形成され、液用ピストン８と液用シリンダ５２の内側に液室Ｂが形成され、液室Ｂの上方で空気用ピストン７のステム部７１の上部内側に混合室Ｃが形成されていて、容器本体２内に空気を導入するための空気孔Ｅが空気用シリンダ５１の上部に開設され、空気室Ａ内に空気を吸入するための吸気孔Ｆが空気用ピストン７の中間連結部７２に開設されている。
【００２４】
そして、液用ピストン８が圧入されているステム部７１の下端から混合室Ｃに至るまでの部分に、空気室Ａから混合室Ｃに空気を送り込むための空気通路Ｄを形成するために、ステム部７１の下部内面側には、複数本（好ましくは３〜７本）の縦溝（空気通路Ｄ）が放射状に（円周方向に一定の間隔を置いて）形成されている。なお、ステム部７１の内面と液用ピストン８の外面の間に空気通路Ｄを形成するための縦溝（又はリブ）については、空気用ピストン７のステム部７１の内面側ではなく、液用ピストン８の外面側に設けるようにしても良い。
【００２５】
上記のようにシリンダ体５とピストン体６により空気室Ａと液室Ｂと混合室Ｃと空気通路Ｄがそれぞれ形成され、シリンダ体５（空気用シリンダ５１の上部）に空気孔Ｅが開設され、ピストン体６（空気用ピストン７の中間連結部７２）に吸気孔Ｆが開設されているのに対して、液用シリンダ５２の下端近傍に形成された弁座部には、ボール弁（ボトムボール）１３が載置されていて、この弁座部とボール弁１３とにより、液室Ｂの負圧時に液室Ｂの下端の入口を開口するための第１逆止弁が構成されている。
【００２６】
また、液用ピストン８と液用シリンダ５２の内側には、上端部の外面側に逆円錐台状の弁体部が形成された棒状弁体１４が配設され、液用シリンダ５２の下端の弁座部の上方には、液体の通過が可能な筒状係止体１２が装着され、棒状弁体１４の下端部が筒状係止体１２により所定の範囲だけ上下動可能に保持されていることで、液用ピストン８の上端部に形成された弁座部と、棒状弁体１４の上端部に形成された弁体部とにより、液室Ｂの加圧時に液室Ｂの上端の出口を開口するための第２逆止弁が構成されている。
【００２７】
さらに、ピストン体６の上下動により容積が変化する空気室Ａの負圧時（ピストン体６の上昇時）に、空気用ピストン７の中間連結部７２に開設された吸気孔Ｆから空気室Ａ内に空気を導入し、また、空気室Ａの加圧時（ピストン体６の下降時）に、空気室Ａ内から空気通路Ｄを通して混合室Ｃに空気を供給するように、吸気孔Ｆと空気通路Ｄに共通する第３逆止弁が、空気用ピストン７の中間連結部７２の吸気孔Ｆよりも外側の下面と、液用ピストン８の中途部の外周面に形成された環状突部８１の上面と、軟質合成樹脂製の弾性弁体１６とによって構成されている。
【００２８】
弾性弁体１６は、短い円筒状の筒状基部の下端部近傍から外方に延びる薄肉円環状の外方弁部と内方に延びる薄肉円環状の内方弁部とを一体的に形成したものであって、空気用ピストン７の中間連結部７２と液用ピストン８の環状突部８１との間に液用ピストン８と同心的に配置されていて、空気用ピストン７の中間連結部７２に筒状基部の上部が挟持され、液用ピストン８の環状突部８１の外端部に形成された適当数の放射状突起により筒状基部の下端が支えられた状態で、空気室Ａの上端部に位置決めされている。
【００２９】
そのような第３逆止弁では、空気室Ａ内が大気圧時には、弾性弁体１６の外方弁部が中間連結部７２の下面に接触し、内方弁部が環状突部８１の上面に接触することで、空気通路Ｄの入口と吸気孔Ｆの両方を閉鎖しており、ピストン体６が下降して空気室Ａ内が加圧されると、弾性弁体１６の内方弁部が上方に変位（弾性変形）して環状突部８１から離れることで空気通路Ｄの入口が開口され、ピストン体６が上昇して空気室Ａ内が負圧になると、弾性弁体１６の外方弁部が下方に変位（弾性変形）して中間連結部７２から離れることで吸気孔Ｆが開口されることととなる。
【００３０】
ポンプ式吐出容器１の押し下げヘッドとなるノズル体４は、混合室Ｃの出口（下流側）から吐出口４３に至る泡通路Ｇを、円筒状の内筒部４１の筒内を直上してから頂部に沿って吐出口４３まで延びるように逆Ｌ字状に形成したものであって、吐出口４３が形成されているノズル体４の頂部からは、内筒部４１との間に間隔を置いて同心的に、内筒部４１よりも大径の外筒部４２が一体的に垂下されている。
【００３１】
ノズル体４の内筒部４１の下端は、その筒内に下方から空気用ピストン７のステム部７１の上端部が嵌入されることで、空気用ピストン７のステム部７１と一体的に連結されており、この連結部分がキャップ３の天板部３２の中央部に開設された開口部を貫通していることで、容器本体２の内外にそれぞれ配置されるノズル体４とピストン体６がキャップ３を貫通して一体的に連結されることとなる。
【００３２】
なお、ノズル体４の泡通路Ｇには、空気用ピストン７との連結に先立って、シート状の多孔体を両端に張設した多孔体ホルダー１７が、混合室Ｃの下流側で泡通路Ｇ内に挿着されており、この多孔体ホルダー１７は、混合室Ｃで形成された泡を通過させて均質化するためのもので、例えば、合成樹脂製の糸を編んだ網体のような多孔シートを筒状の合成樹脂製スペーサーの両端に溶着して取付けたようなものであって、上流側（混合室Ｃに近い側）の多孔シートの網目よりも下流側（吐出口４３に近い側）の多孔シートの網目の方が細かくなるように形成されている。
【００３３】
上記のような本実施例のポンプ式吐出容器の使用状態について簡単に説明すると、製造されてから消費者が使用を開始するまでは、図１に示すように、ノズル体４とピストン体６は上限位置にあり、この状態で、容器内への外気導入手段である空気孔Ｅは、空気用ピストン７の摺動シール部により閉じられ、ボール弁１３による第１逆止弁と棒状弁体１４による第２逆止弁と弾性弁体１６による第３逆止弁は全て閉じられている。
【００３４】
そのような状態から、最初にノズル体４を押し下げて、図２に示すように、ノズル体４とピストン体６を下限位置まで下降させると、ボール弁１３による第１逆止弁は閉じて液室Ｂの下端入口が閉鎖されたまま、棒状弁体１４による第２逆止弁が開いて液室Ｂの上端出口が開口され、また、ピストン体６の下降により空気室Ａが加圧されることで、弾性弁体１６による第３逆止弁では、吸気孔Ｆは閉鎖状態を維持し、空気通路Ｄの入口は開口される。
【００３５】
そのため、消費者が使用を開始して、最初にノズル体４を押し下げたときには、空気室Ａから混合室Ｃに空気が送り込まれると共に、液室Ｂからは溜まっていた空気だけが混合室Ｃに送り込まれることから、ノズル体４の泡通路Ｇからは空気だけが吐出されることとなる。
【００３６】
そのような最初のノズル体４の押し下げを解除すると、コイルスプリング１１の付勢力により、図１に示すような上限位置までノズル体４とピストン体６が上昇する間に、先ず、棒状弁体１４による第２逆止弁が閉じて液室Ｂの上端出口が閉鎖されてから、更にピストン体６の上昇により液室Ｂ内が負圧になることで、ボール弁１３による第１逆止弁が開いて液室Ｂの下端入口が開口され、また、ピストン体６の上昇により空気室Ａが負圧になることで、弾性弁体１６による第３逆止弁では、吸気孔Ｆが開口されて、空気通路Ｄの入口は閉鎖される。
【００３７】
その結果、液室Ｂには、導液管１５を通して容器本体２内の液体が吸い上げられると共に、外部の空気が、内筒部４１と外筒部４２の間の通気路Ｈを通って、吸気孔Ｆから空気室Ａに供給されることで、泡出しの準備状態が完了される。
【００３８】
なお、容器本体２内から液室Ｂに液体が吸い上げられることで、その分だけ容器本体２のヘッドスペースの容積が増加するため、そのままではヘッドスペースが負圧状態となるが、図２の状態から図１の状態に戻るまでの間は、空気孔Ｅが開口したままであり、内筒部４１と外筒部４２の間の通気路Ｈを通った外部の空気は、空気孔Ｅから直ちに容器本体２内へ吸い込まれるため、そのようなヘッドスペースの負圧状態は直ちに解消される。
【００３９】
上記のように液室Ｂに液体が満たされて、且つ、図１に示した状態に戻った段階で、再びノズル体４を押し下げると、ピストン体６と各逆止弁（第１〜第３逆止弁）は、上記の押し下げ操作時と同様に作動して、その結果、ピストン体６の下降に連れて空気室Ａと液室Ｂが加圧されることで、空気室Ａの空気が空気通路Ｄを通って混合室Ｃに空気が圧送されると共に、液室Ｂの液体が混合室Ｃに送り込まれて、両者は混合室Ｃで混ざり合って泡立てられてから、ノズル体４の泡通路Ｇを通ってノズル体４の吐出口４３から吐出される。
【００４０】
そして、図２に示した状態から、ノズル体４の押し下げ操作を解除すると、ピストン体６と各逆止弁（第１〜第３逆止弁）は、上記の押し下げ操作の解除時と同様に作動して、その結果、液室Ｂには、再び容器本体２内の液体が導液管１５を通して吸い込まれると共に、吸気孔Ｆから空気室Ａに空気が供給されることで、泡出しの準備状態となり、以後、ノズル体４の押し下げ操作と該操作の解除を繰り返すことによって、ノズル体４の吐出口４３から所望量の泡を吐出させることができる。
【００４１】
ところで、上記のような本実施例のポンプ式吐出容器では、内筒部４１と外筒部４２の間の通気路Ｈを通して容器内に空気を供給するために、外部の空気を吸い込むための吸気口４５がノズル体４に開口形成されている。
【００４２】
すなわち、ノズル体４の頂部には、図４（Ａ），（Ｂ）に示すように、蓋体４０によって閉鎖される空間部４４が形成されており、この空間部４４の一部分は、外筒部４２の外周面から外方に突出した凹部４４ａとなっていて、この凹部４４ａの外側壁に、外気を吸い込むための吸気口４５が開口されている。また、空間部４４には、凹部４４ａよりも内側で、内筒部４１と外筒部４２の間の通気路Ｈと連通させるための連通孔４６が開口されている。なお、本実施例では、凹部４４ａは、外筒部４２の外周面に沿って周方向に延びる溝状に形成しているが、外筒部４２の外周面の一部分で部分的に突出するように形成しても良いものである。
【００４３】
さらに、上記のようにノズル体４に開口された吸気口４５に対して、上方や側方から吸気口４５に水が侵入するのを防止するための防水壁として、ノズル体４の頂部の外縁部から下方に垂下するようにスカート状のカバー部４７が設けられており、このカバー部４７は、凹部４４ａの外側壁から外方に離れていて、吸気口４５よりも下方にまで延ばされている。
【００４４】
なお、本実施例では、凹部４４ａの外側壁に開口される吸気口４５は、凹部４４ａの底角部から外側壁を切り欠くように形成されており、また、図３および図４（Ａ），（Ｂ）に示すように、内筒部４１と外筒部４２の間の通気路ｈとを連通する連通孔４６に対して、ノズル体４の筒部（内筒部４１や外筒部４２）の円周方向でずれた位置に吸気口４５が配置されている。
【００４５】
上記のように吸気口４５が形成された本実施形態のポンプ式吐出容器１によれば、ノズル体４の外筒部４２とキャップ３のガイドステム部３３との隙間からではなく、ノズル体４に開口された吸気口４５から外気を吸い込んでいることにより、多量の外気を容器内に迅速に導入することができて、迅速に多量の内容物の泡を吐出させることができると共に、上方や側方から吸気口４５に水が侵入するのを、スカート状のカバー部４７によって防止することができる。
【００４６】
また、ノズル体４の外筒部４２の外周面から外方に突出した凹部４４ａの外側壁に吸気口４５が開口されていることから、例えば、容器が横倒しの状態になったり、容器を斜め下に傾けて持ったりすることで、外筒部４２の外周面に付着した水が吸気口４５に向かって流れてきても、凹部４４ａの底壁４８が堤防の役目をして、吸気口４５に水が侵入するのを阻止することから、吸気口４５から容器内に水が侵入するのを効果的に防止することができる。
【００４７】
なお、本実施例では、凹部４４ａの底角部から外側壁を切り欠くように吸気口４５を形成しているが、そのようにすることで、上下の金型によりノズル体４を成形する際に、金型によって吸気口４５を容易に成形することができる。これに対して、先に引用例として挙げた特許文献に示された構造、即ち、ノズル体の外筒部（引用例では「スカート状カバー２５」）に吸気口（引用例では「外気取り入れ口３２」）を直接的に開口させる構造では、上下の金型での成形によって吸気口を形成することはできず、後加工で吸気口を開設するにしても、内筒部（引用例では「中空パイプ２２」）やカバー部（引用例では「防御壁３３」）が邪魔になって加工が非常に困難なものとなり、実質的には生産（商品としての大量生産）が困難なものとなる。
【００４８】
また、本実施例では、空間部４４を通気路Ｈに連通させる連通孔４６に対して吸気口４５をずらして配置しているが、そのようにすることで、万が一、吸気口４５から水が侵入したとしても、それが直ちに連通孔４６から内筒部４１と外筒部４２の間の通気路Ｈに侵入する可能性が小さく、凹部４４ａに溜まった水は、容器を正立させたときに吸気口４５から流れ出るため、容器内に水が侵入するのを一層確実に防止することができる。
【００４９】
以上、本発明のポンプ式吐出容器の一実施例について説明したが、本発明は、上記の実施例に示したような具体的な構成にのみ限定されるものではなく、例えば、上記の実施例では、図４（Ａ），（Ｂ）に示すように、吸気口４５と連通孔４６を、ノズル体４の筒部の円周方向でずれた位置に配置しているが、図５（Ａ），（Ｂ）に示すように、ノズル体４の筒部の同じ半径方向上に吸気口４５と連通孔４６を配置させても良い。
【００５０】
また、上記の実施例では、図４（Ａ），（Ｂ）に示すように、ノズル体４の頂部の空間部４４を閉鎖する蓋体４０について、そのスカート部の下端が吸気口４５にまで達しないように、全周的に同じ長さでスカート部を下方に延ばしているが、蓋体４０をしっかりとノズル体４に固定するためには、図５（Ａ），（Ｂ）に示すように、蓋体４０のスカート部を、全周的に空間部４４の周壁の下端付近にまで延ばしても良く、その場合には、吸気口４５の部分でスカート部の一部分を切り欠くようにすれば良い。
【００５１】
さらに、本発明のポンプ式吐出容器は、上記の実施例に示したような内容物の液体に空気を混合して泡状としてから吐出するような泡吐出容器に限らず、内容物の液体だけをそのまま吐出するような吐出容器に対しても適用可能なものであって、そのポンプ機構の具体的な構造についても、上記の実施例に示した泡吐出容器の具体的な構造に限らず、従来から知られたその他の適宜の構造を採用して実施することも可能である等、適宜に設計変更可能なものであることはいうまでもない。
【図面の簡単な説明】
【００５２】
【図１】本発明のポンプ式吐出容器の一実施例について、ノズル体が上限位置での容器の全体構造を（筒状の部分で端部同士を結ぶ横線については、全てを表示せずに部分的に省略して）示す縦断面図。
【図２】図１に示したポンプ式吐出容器のノズル体が下限位置での容器の全体構造を（図１と同様に、筒状部分の端部同士を結ぶ横線を部分的に省略して）示す縦断面図。
【図３】図１に示したポンプ式吐出容器を上方から見た状態を示す上面図。
【図４】図１に示したポンプ式吐出容器のノズル体について、（Ａ）図３のＡ−Ａ線に沿った縦断面図、および、（Ｂ）図３のＢ−Ｂ線に沿った縦断面図。
【図５】本発明のポンプ式吐出容器のノズル体の他の実施例について、（Ａ）図３のＡ−Ａ線に沿った縦断面図、および、（Ｂ）図３のＢ−Ｂ線に沿った縦断面図。
【符号の説明】
【００５３】
１        ポンプ式吐出容器
２        容器本体
３        キャップ
４        ノズル体
５        シリンダ体
６        ピストン体
３１      ガイドステム部
４０      蓋体
４１      内筒部
４２      外筒部
４４      空間部
４４ａ    凹部
４５      吸気口
４６      連通孔
４７      カバー部
【図１】
2010042827.tif 000003
【図２】
2010042827.tif 000004
【図３】
2010042827.tif 000005
【図４】
2010042827.tif 000006
【図５】
2010042827.tif 000007